(57)【要約】【課題】直感的で違和感のない操作を可能にして操作性を向上させる。【解決手段】本発明に係る撮影機器は、筐体内に配設され光学系の機能毎に上記光学系を駆動する機構部と、上記筐体周囲や前面を含む外面に配設されるタッチパッドと、上記タッチパッドのタッチ位置やタッチポイント数を検出するタッチ検出部と、上記機構部による上記光学系の各機能を実現する各駆動に夫々対応する各方向に基づいて、上記タッチ位置の変化方向から上記光学系の各機能を実現するための操作を判定するタッチ判定部とを具備する。【選択図】図１
2014153584.tif 000002
【特許請求の範囲】
【請求項１】
被写体側に設けられた撮影用レンズ部の周囲に設けられた円弧状タッチパッドと、
上記タッチパッドの水平方向、または鉛直方向のタッチを判定するタッチ点判定部と、
上記円弧に沿ったスライドを判定するスライド判定部と、
上記タッチ点判定結果に従って、上記スライドに従って調節する撮影時のパラメータを切り替える切換部と、
を具備したことを特徴する撮影機器。
【請求項２】
上記タッチ判定部は、上記タッチ位置が水平方向か鉛直方向かを判定し、それが挟まれて行われるスライドか、挟まれないで行われるスライドかを判定して、上記パラメータを変更することを特徴する請求項１に記載の撮影機器。
【請求項３】
上記タッチ判定部の判定結果に基づいて、操作の状態を示す表示を表示する表示部を具備したことを特徴する請求項１または２に記載の撮影機器。
【請求項４】
上記タッチパッドは、レンズ部の鏡筒部の外周面、または前面に配設されることを特徴する請求項１乃至３に記載の撮影機器。
【請求項５】
上記光学系の機能は、フォーカシング機能、ズーム機能、絞り制御機能のうちの少なくとも１つであることを特徴する請求項１乃至４のいずれか１つに記載の撮影機器。
【請求項６】
上記タッチ判定部は、タッチ判定時に切り替え機能の表示を行い、スライド時にはその制御量を表す表示を行うことを特徴する請求項３記載の撮影機器。
【請求項７】
被写体側に設けられた撮影用レンズ部の周囲に設けられた円弧状タッチパッドの水平方向、または鉛直方向のタッチ方向を判定するステップと、
上記円弧に沿ったスライドを判定するステップと、
上記タッチ方向に従って、上記スライドに従って調節する撮影時のパラメータを切り替えるステップと、
を具備したことを特徴する撮影機器のパラメータ制御方法。
【発明の詳細な説明】
【技術分野】
【０００１】
本発明は、タッチパッドを備えた撮影機器に関する。
【背景技術】
【０００２】
近年、デジタルカメラなどの撮影機能付き携帯機器（撮影機器）が普及している。この種の撮影機器においては、ズームレンズを採用して光学ズーム機能を備えたものがある。ユーザのズーム操作に応答してズームレンズを光軸方向に進退させることで、光学的なズームが可能である。また、カメラ本体にレンズ情報を送信する撮影レンズが装着されることもある。この場合には、カメラ本体においてレンズ情報に基づいて処理変数等を書き換えて、撮影レンズを制御可能である。
【０００３】
また、撮影機器においては表示部にメニュー画面を表示して、撮影機器の操作を容易にしたものがある。この表示部にタッチパネルを配置することにより、タッチパネルに対するタッチ操作によって撮影機器の操作が可能である。このような撮影機器では、ズームや絞りの調整等を、タッチパネル操作によって行うことも可能である。
【０００４】
更に、特許文献１においては、タッチパッドをレンズ鏡筒に配設して、タッチパッドのタッチ操作によって、ズーム調整等を可能にしたレンズ鏡筒も開発されている。特許文献１のレンズ鏡筒においては、ズーム調整等のための回動操作部材を配設する必要が無く、操作時に発生する振動を防止することができ、画像ブレを低減しやすい。また、回動操作部材を設ける必要が無いことから、レンズ鏡筒の密閉度を向上させ優れた防塵防滴効果を得ることができる。
【先行技術文献】
【特許文献】
【０００５】
特開２０１０−１１７４４４号公報
【発明の概要】
【発明が解決しようとする課題】
【０００６】
しかしながら、特許文献１の発明においては、操作毎に異なるタッチパッドを操作する必要があり操作性が悪く、小型化が困難で、また直感的な操作もできないという問題があった。
【０００７】
本発明は、小型でありながら直感的で違和感のない操作を可能にして操作部を目視できない状態でも操作性を向上させることができる撮影機器を提供することを目的とする。
【課題を解決するための手段】
【０００８】
本発明に係る撮影機器は、カメラの被写体に設けられた撮影用レンズ部の周囲に設けられた円弧状タッチパッドと、上記タッチパッドの水平方向、または鉛直方向のタッチを判定するタッチ点判定部と、上記円弧に沿ったスライドを判定するスライド判定部と、上記タッチ点判定結果に従って、上記スライドに従って調節する撮影時のパラメータを切り替える切換部と、を具備したことを特徴する。
【発明の効果】
【０００９】
本発明によれば、操作部を集約し、ホールディングを良くし、直感的で違和感のない操作を可能にして操作性を向上させることができるという効果を有する。
【図面の簡単な説明】
【００１０】
【図１】本発明の第１の実施の形態に係る撮影機器の回路構成を示すブロック図。
【図２】光路部２１を構成する各レンズ群を光軸方向に沿って示す断面図。
【図３】光路部２１の具体的な構成の一例を示す説明図。
【図４】エンコーダ４２を構成するフォトインタラプタ（ＰＩ）を示す説明図。
【図５】絞り機構部２１ｃの具体的な構成の一例を示す分解斜視図。
【図６】タッチパッド２２ａとして対象物が所定の距離以内に近接していることを検出する光電センサ型のタッチパッドを採用した場合の検出の様子を示す説明図。
【図７−１】タッチ判定部２３ｃの判定処理を説明するための説明図。
【図７−２】タッチ判定部２３ｃの判定処理を説明するための説明図。
【図８−１】タッチ判定部２３ｃの判定処理を説明するための説明図。
【図８−２】タッチ判定部２３ｃの判定処理を説明するための説明図。
【図９】タッチ判定部２３ｃの判定フローを示すフローチャート。
【図１０】本体側のカメラ制御を説明するためのフローチャート。
【図１１】本発明の交換レンズの一例を説明する断面図。
【図１２】本発明の交換レンズの一例の一部外観を説明する側面図。
【図１３】本発明の交換レンズの一例の一部外観を説明する背面図。
【図１４】本発明のカメラにおけるタッチパッド配置の変形例。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。本実施の形態における撮影機器１は、本体部１０及び交換レンズ２０によって構成されている。本体部１０は、撮影機器１の主要な回路部分が収納された筐体であり、前面に交換レンズ２０が着脱自在に取り付けられている。
【００１３】
交換レンズ２０は、鏡筒２２内に、本体部１０の撮像部１２に被写体像を導く光路部２１を有している。光路部２１は、ズームやフォーカシングのためのレンズ及び絞り等を備えており、これらのレンズ及び絞りを駆動するピント制御部２１ａ、ズーム制御部２１ｂ及び絞り機構部２１ｃを有する。ピント制御部２１ａ、ズーム制御部２１ｂ及び絞り機構部２１ｃは駆動部２４及び絞り制御部２５によって駆動制御されるようになっている。
【００１４】
図２は光路部２１を構成する各レンズ群を光軸方向に沿って示す断面図であり、無限遠合焦時等における各レンズ群の位置を示している。図２は光路部２１が第１乃至第５のレンズ群Ｇ１〜Ｇ５によって構成された例を示している。図２（Ａ）は無限遠合焦時（無限遠フォーカス時）のワイド端Ｗの状態を示し、図２（Ｂ），（Ｃ）は無限遠合焦時の中間状態Ｓｐ１，Ｓｐ２の状態を示し、図２（Ｄ）は無限遠合焦時のテレ端Ｔの状態を示している。
【００１５】
光路部２１は、図２に示すように、物体側から撮像部１２の撮像面（像面）Ｉに至る光軸上に（物体に近い側の位置から）順次配置された５つのレンズ群Ｇ１〜Ｇ５から構成される。負屈折力のレンズ群（物体側レンズ群）Ｇ１は３つのレンズｒ１〜ｒ３によって構成され、負屈折力のレンズ群Ｇ２（フォーカスレンズ）はレンズｒ４によって構成され、正屈折力のレンズ群Ｇ３は３つのレンズｒ５〜ｒ７によって構成され、負屈折力のレンズ群Ｇ４はレンズｒ８，ｒ９によって構成され、正屈折力のレンズ群Ｇ５はレンズｒ１０によって構成される。
【００１６】
レンズ群Ｇ１〜Ｇ５のうちレンズ群Ｇ１，Ｇ５は位置が固定されている。レンズ群Ｇ１，Ｇ５の間に配置された３つのレンズ群Ｇ２，Ｇ３，Ｇ４は可動光学系を形成する。具体的には、レンズ群Ｇ２は、ピント合わせによりフォーカス（合焦）状態に設定するために可動されるフォーカスレンズを構成する。またレンズ群Ｇ３，Ｇ４はフォーカス状態で変倍するズームレンズを構成する。
【００１７】
ワイド端からテレ端への変倍に際して、Ｇ１レンズ群は固定され、レンズ群Ｇ２は像側及び物体側に移動し、第３レンズ群Ｇ３は物体側にのみ移動し、Ｇ４レンズ群は物体側にのみ移動し、Ｇ５レンズ群は固定される。
【００１８】
これらのレンズ群Ｇ１〜Ｇ５は、駆動部２４によって駆動制御される。駆動部２４は制御部２３に構成された駆動制御部２３ａによって制御されて、レンズ群Ｇ１〜Ｇ５を駆動する。即ち、駆動制御部２３ａは、ワイド端とテレ端との間でズーミングを変化させる場合には、図２に示すように、レンズ群Ｇ２〜Ｇ４を連携して駆動して光軸方向の位置を移動させる。また、駆動制御部２３ａは、レンズ群Ｇ２を光軸方向に進退させることで、合焦動作を行う。
【００１９】
駆動部２４は、ピント制御部２１ａ及びズーム制御部２１ｂを制御することで、レンズ群Ｇ１〜Ｇ５を移動させる。ピント制御部２１ａは、駆動部２４に制御されてレンズ群Ｇ２を移動させる。また、ズーム制御部２１ｂは、駆動部２４に制御されてレンズ群Ｇ２〜Ｇ５を移動させる。
【００２０】
図３は光路部２１の具体的な構成の一例を示す説明図である。固定枠５１は鏡筒２２に固定されており、固定枠５１には、ピント制御部２１ａを構成するボイスコイルモータ（以下、ＶＣＭという）４３が取り付けられている。ＶＣＭ４３の回転軸は送りネジに連結され、この送りネジに可動レンズ枠５２が取り付けられている。可動レンズ枠５２に取り付けられたレンズ群Ｇ２は、可動レンズ枠５２と共に光軸方向に進退自在であり、ＶＣＭ４３の回転によってＧ２レンズ群を移動させることができる。
【００２１】
また、固定枠５１には、ズーム制御部２１ｂを構成するステッピングモータ（以下、ＳＭともいう）４４ａ，４４ｂが固定されており、ＳＭ４４ａ，４４ｂの回転軸（駆動軸）は、夫々送りネジに連結され、各送りネジには可動レンズ枠５３，５４が螺合されている。各可動レンズ枠５３，５４に夫々取り付けられたレンズ群Ｇ３，Ｇ４は、ＳＭ４４ａ，４４ｂを回転駆動させることにより、光軸方向に移動させることができる。なお、１つの駆動パルスをＳＭ４４ａ，４４ｂに印加した場合、ＳＭ４４ａ，４４ｂが１つの駆動パルスでＧ３，Ｇ４レンズ群を光軸方向に移動する移動量は送りネジのピッチにより決まる。
【００２２】
また、可動レンズ枠５３，５４は、付勢用バネ５５の各端部がそれぞれ固定されて、付勢用バネ５５により連結されている。付勢用バネ５５は、例えば図３（Ｂ）に示すようにＧ３−Ｇ４レンズ群間の距離が小さい状態においては、両レンズ群を小さな力量で引き寄せる方向に付勢する。また、図３（Ａ）に示すようにＧ３−Ｇ４レンズ群間の距離が大きい場合には、付勢用バネ５５は、大きく伸びて、両レンズ群を大きな力量で引き寄せる方向に付勢する。
【００２３】
フォーカス制御及びズーム制御を行うためには、各レンズ群Ｇ２〜Ｇ５の光軸方向の位置（以下、群位置という）を把握する必要がある。交換レンズ２０の制御部２３が群位置を把握するために、初期位置検出部２６ａ及び群位置検出部２６ｂが設けられている。初期位置検出部２６ａは各レンズ群Ｇ２〜Ｇ５の初期位置を検出し、群位置検出部２６ｂは各レンズ群Ｇ２−Ｇ４の群位置を検出する。
【００２４】
図３の例では、初期位置検出部２６ａ及び群位置検出部２６ｂは、エンコーダ４０、リニアエンコーダ４１及び複数のエンコーダ４２（４２ａ，４２ｂ）によって構成され、レンズ群Ｇ２〜Ｇ５の初期位置及び群位置を夫々検出する。
【００２５】
エンコーダ４０は、レンズ群Ｇ２の可動領域内における位置を検出する磁気抵抗効果センサ（以下、ＭＲセンサという）等によって構成されている。リニアエンコーダ４１はレンズ群Ｇ３の可動領域内における絶対的な位置を検出する。また、エンコーダ４２は、レンズ群Ｇ４の可動領域を分割した複数（具体例では４つ）の領域におけるどの領域内に位置するかを判定する例えばフォトインタラプタ（以下、ＰＩという）等によって構成される。
【００２６】
レンズ群Ｇ３は、ユーザ操作に応答して、光軸に沿って移動可能に構成されている。レンズ群Ｇ３の絶対的な位置を検出し、ユーザが設定したいズーム位置にレンズ群Ｇ４を追従させることで、ユーザ操作に対応したズーミングが可能となる。ユーザ操作によって変更されたレンズ群Ｇ３の群位置は、リニアエンコーダ４１により検出される。
【００２７】
図４はエンコーダ４２を構成するフォトインタラプタ（ＰＩ）を示す説明図である。図４（Ａ）に示すように、エンコーダ４２ａ，４２ｂ（以下、ＰＩ４２ａ，４２ｂともいう）は、いずれも発光部Ｈａ及び受光部Ｈｂを有し、発光部Ｈａと受光部Ｈｂとの間の物体による遮光の有無によって、位置を検出する。即ち、エンコーダ４２ａ，４２ｂは所定の間隔を有して配置され、可動レンズ枠５４に設けた凸片５４ａの通過を検出する。
【００２８】
図４（Ｂ）は凸片５４ａによる遮光状態を示している。図３（Ａ）の状態では、可動レンズ枠５４は像面側に位置し、凸片５４ａによってＰＩ４２ａ，４２ｂは遮光状態とならない。即ち、凸片５４ａは、図４（Ｂ）の領域Ｒ１に位置する。領域Ｒ２は凸片５４ａがＰＩ４２ｂのみを遮光状態とするものである。また、領域Ｒ３は凸片５４ａがＰＩ４２ｂ，ＰＩ４２ａの両方を遮光状態とするものであり、領域Ｒ４は凸片５４ａがＰＩ４２ａのみを遮光状態とするものであり、図３（Ｂ）の状態を示している。
【００２９】
なお、透過、遮光の関係を厳密には図示していないが、図３（Ａ）から図３（Ｂ）のようにＧ４レンズ群がワイド側からテレ側に動く場合に、ＰＩ４２ａ，４２ｂの遮光状態が変化して、領域Ｒ１から領域Ｒ４の状態の判定が可能となる。また、各群位置検出部２６ｂは、ＰＩ４２ａ，４２ｂの出力レベルが、ＬレベルからＨレベル、又はその逆に変化する位置を既知の基準位置Ｐｒ１，Ｐｒ２，Ｐｒ３として検出することもできるようになっている。
【００３０】
絞り機構部２１ｃは、絞り制御部２５に制御されて、絞りＳを駆動する。図２の矢印に示すように、絞りＳは、レンズ群Ｇ３を構成するレンズｒ５，ｒ６相互間に配置される。
【００３１】
図５は絞り機構部２１ｃの具体的な構成の一例を示す分解斜視図である。なお、図５は４枚の絞り羽根を有する例を示しているが、説明の簡略化のために、図５では１枚の絞り羽根のみを示している。
【００３２】
図５において、光量を制御する絞りＳは、レンズｒ５によって構成される前レンズ７１とレンズｒ６，ｒ７によって構成される後レンズ群７２との間において、前レンズ７１により光束が絞られる位置に配置される。図５の絞りＳは、鏡筒２２内に設けたが、本体部１０等に設けられることもある。図３のＳＭ４４ａの回転力を伝達する送りネジ７４によって、前レンズ７１及び後レンズ群７２を含むレンズ群Ｇ３は、一体的に光軸方向に進退移動するようになっている。これにより、フォーカシングが可能である。
【００３３】
絞りＳは、前レンズ７１側に設けられた矢車７５と、後レンズ群７２側に設けられた固定板８０とを有する。開口部材である固定板８０は、金属製、または遮光性を備えるように着色されたプラスチックなどの樹脂により射出形成される板状部材であり、中央には、絞りの全開状態を規定する真円状の光路開口部８１が中心をレンズ光軸に一致させて形成されている。固定板８０の光路開口部８１の周囲には、周方向の等間隔の異なる位置に、前レンズ７１側に向かって突出するように、絞り羽根８５の枚数だけ回転支軸８２が植設されている。
【００３４】
矢車７５は、光路開口部８１に対向した開口を有する回転部材である。矢車７５の外周には外歯車が形成されており、この外歯車とモータ７６の回転軸に取り付けられたピニオンギア７７とは噛合している。モータ７６の回転によって、矢車７５はレンズ光軸を中心に回動する。矢車７５には、周方向の等間隔の異なる位置に、後レンズ群７２側に向かって突出するように、絞り羽根８５の枚数だけ駆動軸である駆動ピン７８が植設されている。
【００３５】
矢車７５と固定板８０との間には、相互に同一形状の複数数（例えば４枚）の絞り羽根８５が設けられている。絞り羽根８５には、嵌合孔としての回転軸孔８６が設けられており、絞り羽根８５の回転軸孔８６に固定板８０の回転支軸８２を挿嵌することで、絞り羽根８５は固定板８０上において回転支軸８２を中心に回動自在に配置される。
【００３６】
また、絞り羽根８５は、回転支軸８２の回りの回転量を制御するために、所定の曲線形状に穿設された被駆動溝であるカム溝８７を有している。カム溝８７は長溝孔又はスロットである。矢車７５の駆動ピン７８はカム溝８７内に嵌入され、駆動ピン７８はカム溝８７と係合して、カム溝８７内を摺動自在である。矢車７５が固定板８０に対して相対的に回転することによって、駆動ピン７８がカム溝８７内で摺動してカム溝８７の位置を規定する。即ち、矢車７５の回転及びカム溝８７の形状に従った回転量で、絞り羽根８５が回転支軸８２を中心に回転する。
【００３７】
４つの絞り羽根８５は、各回転軸孔８６が夫々固定板８０に設けられた４つの回転支軸８２に挿嵌されて、光路開口部８１の周囲に円周状に配置される。駆動ピン７８は、カム溝８７の回転軸孔８６側の一端とその反対側の他端との間を移動する。この移動に伴って、絞り羽根８５が回転して、光路開口部８１内に進入又は待避する。
【００３８】
絞り羽根８５の光路開口部８１内への進入状態は、矢車７５と固定板８０との相対回転角度によって決定する。即ち、矢車７５と固定板８０との相対回転角度に応じて、絞りは全開（最大開放）状態、中間絞り状態、最大絞り状態に変化する。絞り制御部２５は、駆動制御部２３ａに制御されて、絞り機構部２１ｃを構成するモータ７６の回転を制御することで、絞りを調整する。
【００３９】
本実施の形態においては、鏡筒２２の表面には、ユーザによる撮影に関するパラメータ、例えば、ズームや絞りに関するパラメータの設定操作のために、タッチパッド２２ａ（図１の斜線部）が配設されている。例えば、タッチパッド２２ａは、鏡筒２２の表面の光軸方向の一部の領域に全周に渡って配設されている。なお、タッチパッド２２ａを鏡筒２２の周方向及び／又は光軸方向の一部の領域に配設してもよい。鏡筒２２の表面の一部の領域にタッチパッド２２ａを設け、タッチパッド２２ａ以外の部分を把持可能に構成することで、意図しない操作が行われることを防止することも可能である。
【００４０】
タッチパッド２２ａとしては、抵抗膜式、赤外線式、ＳＡＷ式、静電容量式、光電センサ型等の種々の方式を採用することができる。例えば、静電容量式と抵抗膜式とを組み合わせて、押す（接触する）という動きにＺ軸方向のパラメータを追加することで、接触する圧力を感知するフォースセンサ型を採用してもよい。
【００４１】
図６はタッチパッド２２ａとして対象物が所定の距離以内に近接していることを検出する光電センサ型のタッチパッドを採用した場合の検出の様子を示す説明図である。図６において、タッチパッド２２ａを構成する液晶パネル６０の各画素には光センサ６０ａが作り込まれている。液晶パネル６０の背面にはバックライト６１が配設されており、バックライト６１からの出射光６２の透過率を液晶パネル６０によって制御することで表示を行うことも可能である。
【００４２】
液晶パネル６０は、液晶パネル６０の前面に物体が接触するか又は前面に物体が近接すると、液晶パネル６０を透過したバックライト６１の出射光６２が物体によって反射し、この反射光６３が液晶パネル６０に作り込まれた光センサ６０ａによって検出されるようになっている。光センサ６０ａを液晶パネル６０内の画素毎、或いは適宜の間隔で配置し、いずれの位置の光センサ６０ａによって反射光６３の検出が行われたかによって、液晶パネル６０の前面に接触又は近接した物体の位置を検出することができる。
【００４３】
図６（Ａ）は物体６４が液晶パネル６０の前面に近接している状態を示し、図６（Ｂ）は物体６４が液晶パネル６０の前面に接している状態を示している。いずれの場合にも、物体６４による反射光６３が光センサ６０ａに入射して、物体６４が検知されるようになっている。また、図６（Ａ），（Ｂ）の物体６４が同一物である場合には、物体６４が液晶パネル６０の前面に押圧されることによる物体６４の変形についても光センサ６０ａの検出結果から判定することができる。なお、液晶パネル６０は、液晶パネル６０の前面の複数のポイントにおいて、接触又は近接した物体６４を検知可能である。
【００４４】
タッチ検出部２７は、タッチパッド２２ａに対するユーザ操作、例えばタッチ位置やスライド操作を検出して検出結果を制御部２３に出力する。制御部２３は、マイコン等によって構成されており、タッチ検出部２７の検出結果及び後述する本体部１０の信号処理及び制御部１１からの信号に基づいて、各部を制御する。タッチ判定部２３ｃは、タッチ検出部２７の検出結果に基づいて、ユーザ操作の内容を判定する。制御部２３の駆動制御部２３ａは、タッチ判定部２３ｃの判定結果及び信号処理及び制御部１１の制御に従って各種制御信号を発生する。例えば、駆動制御部２３ａは、フォーカス信号及びズーム信号を発生して、駆動部２４を制御する。また、駆動制御部２３ａは、絞り制御信号を発生して、絞り制御部２５を制御する。
【００４５】
駆動部２４は、フォーカス信号に基づいてピント制御部２１ａを駆動制御し、ズーム信号に基づいてズーム制御部２１ｂを駆動制御する。また、絞り制御部２５は、絞り制御信号に基づいて絞り機構部２１ｃを駆動制御する。
【００４６】
制御部２３は、初期位置検出部２６ａ及び群位置検出部２６ｂの検出結果が与えられ、タッチパッド２２ａを用いた操作に対応したピント位置、ズーム位置、絞り状態となるように駆動部２４及び絞り制御部２５を制御する。リセット部２３ｂは、電源投入時等におけるリセット動作を制御するものであり、各機構部を初期位置に設定する。
【００４７】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００４８】
レンズ情報により、本体部１０は、交換レンズ２０がどのようなズーム機能を有しているか、ズームレンズの焦点距離範囲（倍率）、焦点距離、明るさナンバー等を認識することができる。また、制御部２３は、タッチ判定部２３ｃからの判定結果の情報も本体部１０に送信することができる。また、制御部２３は、ピント位置、ズーム位置、絞り状態等の情報を本体部１０に送信してもよい。制御部２３は、通信部１３，２８を介して本体部１０の信号処理及び制御部１１から制御信号が供給されて、信号処理及び制御部１１によって制御可能に構成されている。
【００４９】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００５０】
信号処理及び制御部１１は、ＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００５１】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００５２】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００５３】
信号処理及び制御部１１の表示制御部１１ａは表示に関する各種処理を実行する。表示制御部１１ａは、信号処理後の撮影画像を表示部３５に与えることができる。表示部３５は、ＬＣＤ等の表示画面を有しており、表示制御部１１ａから与えられた画像を表示する。また、表示制御部１１ａは、各種メニュー表示等をこれらの表示画面に表示させることもできるようになっている。
【００５４】
表示部３５は、後述するように、撮像画像を表示する表示画面３５ａを有している。また、表示画面３５ａ上には、タッチパネル３６が設けられている。タッチパネル３６は、ユーザが指で指し示した表示画面３５ａ上の位置に応じた操作信号を発生することができる。この操作信号は、信号処理及び制御部１１に供給される。これにより、信号処理及び制御部１１は、ユーザが表示画面３５ａ上をタッチしたりスライドさせたりした場合には、ユーザのタッチ位置、指を離間させる操作、スライド操作やスライド操作によって到達した位置、スライド方向、タッチしている期間等の各種操作を検出することができ、ユーザ操作に対応した処理を実行することができるようになっている。
【００５５】
なお、表示部３５は、本体部１０の例えば背面の略全域を占めるように配設されており（図７（Ａ）参照）、撮影者は、撮影時に表示部３５の表示画面３５ａ上に表示されたスルー画を確認することができ、スルー画を確認しながら撮影操作を行うことができる。
【００５６】
本実施の形態においては、上述したように、交換レンズ２０は、鏡筒２２に設けたタッチパッド２２ａのユーザ操作によって、フォーカシング、ズーミング、絞り調整等が可能である。タッチパッド２２ａのタッチ操作の内容を判定するために、制御部２３にはタッチ判定部２３ｃが設けられている。本実施の形態においては、タッチ判定部２３ｃは、光路部２１の各機構の動作に対応した方向に基づいて、ユーザのタッチ操作の方向から、操作内容を判定するようになっている。
【００５７】
図７及び図８はタッチ判定部２３ｃの判定処理を説明するための説明図である。図７（Ａ）、（Ｃ）は撮影機器１を構えて被写体を撮影する様子を示しており、図７（Ｂ）、（Ｄ）は表示部３５の表示画面３５ａの表示例を示している。
【００５８】
カメラの操作部の場合、様々な要求があり、シャッターチャンスを逃してはならず、手ぶれを起こしてはならず、その結果として、ブラインド操作が必要であったりする。特にカメラがぶれないようにカメラを保持する場合、レンズ側（被写体側）の保持は重要であり、その場合、そこに操作部を設けると、ユーザから操作部が見えないという問題を生じた。
【００５９】
図７（Ａ）に示すように、マクロ撮影の時などに、撮影者はカメラの保持に気を遣い、脇を締めて撮影を行う。そうしないと、ちょっとした位置の差が構図に影響し、手ぶれなども起こしやすいからである。特に、被写体を大きく拡大し、花のめしべやおしべにピント合わせするときは、少しの揺れで被写体の構図や距離が変わってしまうので、撮影者９１はその左手９２Ｌで交換レンズ２０近傍を支え、本体部１０上面の図示しないレリーズスイッチに人差し指９３ａを軽く触れながら本体部１０を右手９２Ｒで軽く把持して、カメラが揺れないように集中する。被写体距離の逆数にほぼ比例して、ピント合わせレンズは調整される。こうしたシチュエーションでは、ピント位置の小さな変化によって、被写体が大きくぼけて写真の成功や失敗を決めやすい。また、花びらやおしべ、めしべや、昆虫の触角などは、ピントを外すと、コントラストが低下してピンぼけが目立ちやすい。このようなユーザのピントこだわりがあるので、オートフォーカス（ＡＦ）では、満足できない場合が多い。逆にズームに関しては、それほど重要でない。それは、ユーザが被写体から離れたり近づいたりすることで、被写体の大きさを簡単に変えることができるからである。
【００６０】
レンズの機能には、ピントの他、画角や絞りなどがあるが、花などは風に揺れやすく、虫などは動きやすく、そのパーツも、どこにピント合わせして良いかわからない場合が多く、こうして、脇を締めてカメラを構える場合には、そのホールディングからピント合わせを撮影者はしたいという確率が高い。そのため、上述のように、オートフォーカスの結果に飽き足らない場合も多い。そこで、この実施例では、この時のレンズ部へのタッチ位置から、ピント合わせ機能を調整可能とした。このようなホールディング時には、脇をしめて下から腕と指を伸ばしてカメラを保持するので、カメラレンズ部を保持する左手の親指や人差し指は、レンズ部の水平方向（左右方向）に添えられることになる。
【００６１】
撮影者９１は、右手９２Ｒの人差し指９３ａによって図示しないレリーズスイッチを操作する。また、撮影者９１は左手９２Ｌによって鏡筒２２を支持しており、左手９２Ｌの各指によって鏡筒２２に配設されたタッチパッドに対するタッチ、スライド等の各種タッチ操作が可能である。
【００６２】
このように構えた態勢において背面からみると、図７（Ｂ）に示すように、スルー画（ライブビュー画像）９８が本体部１０の表示部３５の表示画面３５ａ上に表示されている。スルー画９８中には、花が拡大されて写されている様子を示し、花びら８６ａ、おしべやめしべ８６ｂが撮像されていることを示している。また、Ｆナンバーを示す表示９７も表示されている。他のパラメータでもよいが、ここでは、その他の撮影パラメータを表示してもよいことを示すために、絞り値を、「Ｆ４．０」という風に表示した例を示している。また、ピント操作中表示９９があっても親切である。これは、レンズ部はカメラ前面にあって、背面からは見えないので、どのような操作が起こるかをユーザに知らしめ、非常に重要なユーザーインターフェースとなっている。
【００６３】
図７（Ｃ）では、被写体として建物９５及び山９６を背景にした人物９４を撮影する例を示している。このような場合は、十分な距離があることから、被写界深度内に被写体を収めることが簡単なので、マクロ撮影ほどにピント合わせに注意を払わずにすむ。このような場合は、オートフォーカス（ＡＦ）でピントが合いやすく、むしろ、背景をどこまで入れるかや、被写体をどのような大きさで撮影するかなど、画角に関心が行きやすい。脇を締めないで撮影する場合には、カメラを遠くに構えるので、老眼のユーザには使いやすい。また、そうでなくとも、被写体とカメラの画面を見比べて比較して撮影したり、近くで画面を見てカメラの設定を確かめたりしたいので、カメラのホールディングは、この図のように、両手の可動範囲の自由度が高くして撮影する場合がある。これは、自然に構えやすくするように、左右の手を対称にした形になりやすい。このときは、カメラ前面のレンズを掴む時の指の位置が、図６（Ａ）とは変わって来る。
【００６４】
つまり、このようなホールディング時には、左手の脇を締めずに前方に上腕から突きだし、右手と同様の形で腕と指を伸ばしてカメラを保持するので、カメラレンズ部を操作する左手の親指や人差し指は、レンズ部の鉛直方向（上下方向）に添えられることになる。このような状況下であることは、レンズ部が人差し指と親指によるタッチ位置で判定可能で、そこからホールディング姿勢も推定が可能である。また、このような姿勢での撮影でのレンズ操作では、ピント合わせより、ズーミング、画角調整のほうが頻度が高い。このように、レンズのリング部にタッチした指の位置からホールディングを推測し、ホールディングによって使いたい機能を特定するようにした。ここでは、レンズを掴む時の指の位置のみで、これを判定しているが、その他、カメラの傾きを加速度センサで判定したり、被写体像を判定して、その結果を反映させたりしてもよい。
【００６５】
このように構えた態勢において背面からみると、図７（Ｄ）に示すように、スルー画（ライブビュー画像）９８が本体部１０の表示部３５の表示画面３５ａ上に表示されている。スルー画９８中には、人物９４、建物９５及び山に対応する画像９４ａ，９５ａ，９６ａが撮像されていることを示している。また、Ｆナンバーを示す表示９７も表示されている。
【００６６】
撮影者９１は、右手９２Ｒでカメラ１０の右側側面を把持しつつ、その人差し指９３ａによって図示しないレリーズスイッチを操作する。また、撮影者９１は左手９２Ｌによってカメラ１０の左側側面を把持しつつ、左手９２Ｌの人差し指９２ｂによって鏡筒２２に配設されたタッチパッド２２ａに対するタッチ、スライド等の各種タッチ操作が可能である。
【００６７】
本実施の形態においては、レンズ周囲に設けられた筒状のタッチパッド２２ａに対する直感的な操作によって、フォーカシング、ズーミング、絞り調整等のための操作を行うことができるようになっている。カメラ前面のレンズ鏡枠部が突出した筒状であると、二次元的な方向性がわかりにくい平面のタッチパッドとは異なり、円筒に沿って指を滑らせればよく、その周囲方向に指を回すような操作目視せずとも簡単であり、カメラの前面（被写体側）にあっても、それを狙って、カメラ背面を見ているユーザが、ブラインド操作など直感に基づく操作がしやすい。鏡枠の円筒状周囲にタッチパッドやタッチパネルを配置しなくとも、タッチ検出部位をレンズ鏡枠の前面に円環状に設けても良い。これによって、レンズの光路を遮ることなく、なおかつ、レンズ部の操作を行っているような実感を得ることが出来る。撮影レンズ鏡枠は、焦点距離を稼ぐために、カメラの前面から突出していることも多く、その他、前面の周囲には、このレンズを保護するためのキャップや光学フィルタを装着する部位や、保護用バリアなどを配置するため、また、光路にむやみに指がかかったりしないように、あるいは、デザイン上、写りの良さをアピールするべく、レンズ部を強調するために本体前面から段差や枠を設けている設計が多い。この段差や枠を利用して指をなぞらせれば、光路を妨げることなく、適切な操作が可能となる。
【００６８】
図８（Ａ）〜（Ｄ）は、鏡筒２２を光軸方向物体側から見たものであり、左手の掌を略上に向けた状態で、左手の親指１０１ｔと人差し指１０１ｉの先端側でタッチパッド２２ａをタッチしながら鏡筒２２を保持している状態を示している。
【００６９】
この実施例では、カメラをユーザが構えた時は、被写体とカメラ背面を見る形になり、被写体側はカメラの前面と呼ぶことにする。そのときの水平方向をカメラの左右とし、垂直方向をカメラの上下とする。
【００７０】
この状態では、撮影者は、図７（Ａ）のように、左手の脇を締め、被写体とのわずかなピントずれも起こさないような撮影を行っていると考えられ、ピント合わせ時の指の配置と考えることが出来る。つまり、図８（Ａ）、（Ｂ）のように、ユーザの左手親指１０１ｔと左手人差し指がレンズ部の左右から保持するので、この状態をカメラが撮影レンズの前面周囲に設けられた円環状タッチパッド２２ａのタッチ位置で判定すれば良い。図８（Ａ）のような状態から、図８（Ｂ）のような状態に人差し指１０１ｉと親指１０１ｔが、同じ方向に移動（枠の円周方向にスライド）すると、これは、ユーザが意志をもって回動させようとしたことが判定できる。
【００７１】
このとき、左手人差し指は、カメラを構えたユーザ基準にすると、レンズの右側をタッチすることになる。つまり、カメラを背面から見て、撮影レンズの周囲に設けられたタッチパネルの右側の部分のタッチを判定された場合に、このカメラは、図７（Ａ）のような状況で、ユーザがカメラ操作をしているとして、ピント合わせ用のレンズを動かす。
【００７２】
また、図８（Ｃ）のように、左手の人差し指１０１ｉと親指１０１ｔを連携させるように使って微妙な調整をする場合の他、図８（Ｄ）のように、左手の親指１０１ｔは、カメラの外装に当てて固定し、これを支点にして、人差し指の先っちょだけで弾ませるように操作する場合があり、これは、慌ただしくピントをずらしていく時に行われる操作である。
【００７３】
このような場合、カメラはピント制御を粗調とすればよい。この時、同じスライド量であっても、人差し指１０１ｉと親指１０１ｔで操作している場合（微調）よりも、ピントの変化量を大きくすることを意味する。
【００７４】
図８（Ｅ）、（Ｆ）は、このようなカメラを、図７（Ｃ）のように構えた時の、ユーザの指のレンズ部へのかかり方を図示しており、図８（Ａ）、（Ｂ）とは異なり、レンズの上下がそれぞれ、ユーザの人差し指と親指で挟まれる。つまり、図８（Ｅ）から（Ｆ）のように回動そうさを行うと、カメラレンズの円周上（円弧状でも良い）に設けられたタッチパッド２２ａの上部のタッチ点と下部のタッチ点が同じ回動方向に同時に動くとき、図７（Ｃ）のような状況でユーザがカメラを操作していると判定し、ここでは、前述のように、むしろ重視されるズーム操作（ピントはＡＦ結果で間に合う）を行うようにしている。
【００７５】
このような構え方でも、図８（Ｇ）のように、親指１０１ｔはカメラの外装にかけたまま、これを支点として、人差し指１０１ｉの指先でちょんちょんとレンズ部上部で動かす調整をする場合がある。この時、ユーザが迅速に大きくズーム位置を変更したい時なので、タッチパッド２２ａの上部が弾みをつけてスライドされることを、タッチパッドで検出して、電動ズーム機構の駆動制御を図８（Ｅ）のような場合より（画角変化の変化を）大きめに行えば、ユーザの思い通りの制御とできる。
【００７６】
以上に説明したように、人差し指と親指で、あたかも鏡枠を挟んで動かすような動作は、微調整とし、人差し指だけでスライドさせるような動作を粗調とすれば、ピント合わせやズームは、簡単にユーザによって切換可能となる。
ここで挟んで動かすような動作（挟まれて行われる操作、スライド）とは、実際に鏡枠を挟む必要はなく、二つの指が鏡枠を中心に対称的な配置で添えられ、鏡枠周囲を同じ方向に連動して動くような動作を想定している。一方、挟まないで行われる動作（操作、スライド）とは、鏡枠を中心に対称的な配置で添えられた指の一方だけが動かされる動作（操作）を想定している。
【００７７】
このように、レンズ部へのタッチは、カメラのフレーミングにおいて自然な操作であり、かつ、フレーミングもしっかり出来て、撮影に集中できるというメリットがあるが、カメラ背面を見ている撮影者が見えないところ（カメラ前面）を操作する必要があり、単純で直感的な操作が求められていた。この発明は、このように撮影に集中しながら、手ぶれなどを起こさず、しっかりとフレーミングしての撮影でありながら、ユーザのこだわりを反映したピントや画角でのクリエイティブな撮影を可能とした。
【００７８】
また、ユーザは、背景のボケなどを気にする人も多く、この場合、絞りの操作を重視する。こうしたユーザは、特にマクロ撮影などで、花のおしべやめしべや花びらのボケ関係の表現にこだわりを持っているので、こうしたユーザには、図８（Ｈ）のように、左手の人差し指はカメラ本体に当てたまま、親指だけでレンズ部にタッチする操作を、絞り操作に活用できるようにしてもよい。もちろん、シャッタースピードやＩＳＯ感度などの操作に適用しても良いが、ここでは背景のボケ具合を背面の表示部で確認しながら操作したい絞り操作の例で説明する。
【００７９】
図８（Ｈ）では、図７（Ａ）のようなフレーミングを想定し、人差し指１０１ｉはカメラ本体下部にかけ、親指１０１ｔの先でタッチパッド部２２ａを操作する。ここでのスライド方向やスライド量に従って、知り値を切り替える例を図示したが、一回のスライドで所定量絞り量が制御されたり、スライドではなくタップで同様な操作ができるようにしてもよい。ここでは、いくつかの代表的なホールディングに基づいて、想定しやすいユースシーンで説明したが、画角やピントや絞りの他、画像処理や露出補正などの値を切り替えられるようにしてもよい。
【００８０】
図９はタッチ判定部２３ｃの判定フローを示すフローチャートである。
【００８１】
図９には、このようなタッチ操作を、タッチパッドの出力を判定し、どのように撮影パラメータの制御を行うかをフローチャートで示している。このフローは、レンズ交換式のカメラの場合、レンズ部の制御部（図１の２３）がこのフローを司るプログラムを実行する（ここでは、機能を持つ部分として２３ｃとして図示）が、一部をカメラ本体の制御部（図１の１１）が分担してもよく、レンズ交換式でない撮影機器であれば、カメラ本体の制御部（図１の１１）がこの機能を持つようにしてもよい。タッチ検出部２７が、一部の機能を分担しても良い。
【００８２】
ここでは、被写体に設けられた撮影用レンズ部の周囲に設けられた円弧状タッチパッドの水平方向、または鉛直方向のタッチ方向を判定するステップ（Ｓ１０１、Ｓ１１５、Ｓ１２１等）と、上記円弧に沿ったスライドを判定するステップ（Ｓ１０２等）と、上記タッチ方向に従って、上記スライドに従って調節する撮影時のパラメータを切り替えるステップ（Ｓ１０４等）と、を具備したことを特徴する撮影機器のパラメータ制御方法を具体的に説明する。
【００８３】
なお、回転判定前に、タッチ位置に従って、表示部に、どのようなパラメータが変更されるかを表示した方が良いが、ここでは、このステップの図示は煩雑になるのを避けて省略している。上記タッチ判定部の判定結果に基づいて、操作の状態を示す表示を表示する表示部を具備しても良いことは言うまでもなく、Ｓ１０２に先だって「ズーム」、Ｓ１２２に先だって、図７（Ｂ）、（Ｄ）で説明したような案内表示を出す。
【００８４】
図９のＳ１０１は、レンズ部周囲に円弧状に設けられたタッチパッドの上部（カメラを構えた時に、重力方向と反対になる部分）に、タッチが感じられたかどうかをタッチ判定部が判定する。この上の方向は、重力センサ（加速度センサ）などで判定しても良い。
【００８５】
これによって、カメラの保持、または操作のされ方が図７（Ａ）のようであるか、図７（Ｃ）のようであるかを判定する。カメラのレリーズボタンやスイッチは、シャッターチャンスを逃さないよう、通常、利き腕の右手で操作されるので、カメラ前面のレンズ部を操作するのは左手の指だと判定されるし、レンズ上部をタッチできるのは人差し指である可能性が高い。そこで、Ｓ１０１をＹに分岐した場合、図７（Ｃ）のような構え方をしていると判定できる。この場合、カメラがしっかり保持されておらず、前述のように細かいピントを気にする撮影方法ではなく、構図や画角などを重視した撮影と考えられる。このタイミングで、ズーム操作など、この時のスライド操作で変更できるパラメータを表示してもよい。
【００８６】
そこで、Ｓ１０２、またはＳ１１１で、今度は円弧に沿ったスライド方向を判定し、この回転式の指スライド方向（図中は回転方向と記載）をタッチ検出部２７を用いて検出することによって、望遠方向か広角方向か、レンズの焦点距離の調節を行う。これは、ズーム制御部（図１の２１ｂ）が駆動部（図１の２４）によって駆動制御されるもので、群位置検出部（図１の２６ｂ）によって位置を判定されながら制御部２３によって制御される。もちろん、レンズ交換式でない場合、カメラ本体の制御部１１が制御しても良い。
【００８７】
また、レンズ上部のタッチ位置のスライド方向（図中、回転方向と記載）と、レンズを挟んで回す形での回転方向が同じであるかどうか、時計回り相当か反時計回り相当かを、タッチパッドのタッチ位置の変化を、同様にタッチ検出部２７を用いてＳ１０３、１１２で判定し（Ｓ１０３、Ｓ１１２）、同じならズーム（画角）変化を微調（Ｓ１０５、Ｓ１１４）し、そうでなければこれを粗調（Ｓ１０４、Ｓ１１３）で動かす。
【００８８】
つまり、スライド操作するユーザの指の位置変化がレンズ光軸を中心に回転方向であるかどうかを判定して、スライド量に対する焦点距離変化を大きく（粗調）したり、小さく（微調）したりする。例えば、指が１０°回動したことを判定すると、微調では１ｍｍだけ焦点距離を変化させ、粗調では１０ｍｍ焦点距離を変化させる。もちろん、これはユーザが設定できるようにしてもよい。回転方向（Ｓ１０２、Ｓ１１１）の判定も同様で、反対の回転で、ズーム方向が反対になれば、ここに記載した例に限らない。
【００８９】
以上のように、レンズ部の上の方をタッチした例を示したが、それと直交する側面（左右方向）をタッチした場合も、Ｓ１２１以下のようなフローで表現できる。つまり、レンズの側面、撮影者から見て右側（図８（Ａ）参照）をタッチした場合、これは、図７のようにユーザがカメラを保持していると想定している。この保持の仕方は、カメラをしたから支える方法で、手ぶれを気にしている状況で、この場合は、ピント合わせも困難で、オートフォーカスだけでは満足できなくなる。したがって、ピント合わせのレンズを制御するが、その回転方向（レンズを中心としての指のスライド方向）をＳ１２２、Ｓ１３１で判定し、方向に従って近距離被写体にピントを合わせるか、遠距離被写体にピントを合わせるかを切り替える。また、図８の（Ｃ）のような操作か、（Ｄ）のような操作であるかを判定し、二つの指で丹念にピント合わせする場合（Ｓ１２５をＹ、Ｓ１３２をＹ）、一本の指で迅速にピント合わせする場合（Ｓ１２５をＮ、Ｓ１３２をＮ）を判定し、微調と粗調を切り替える。微調の場合、Ｓ１２４またはＳ１３３でピント合わせをレンズ光軸方向に、スライド量が一回転相当で０．１ｍｍ程度動かし、粗調の場合、Ｓ１２５またはＳ１３４で一回転相当で１ｍｍ相当動かす。もちろん、この量はレンズに応じて変えても良く、ユーザが設定できるようにしても良い。なお、ピント合わせ動作が始まることを、Ｓ１２２の前のステップにて表示しても良い（図示はしていない）。
【００９０】
また、レンズの左側タッチも、Ｓ１１５にて判定し、このタッチが判定されると、その回転方向スライドに従って絞り値を変更できるようにしている。ここでは特に図示していないが、右回転相当のスライドなら絞りを開き、反対方向スライドなら絞りを閉じる。Ｓ１１６の前のタイミングのステップで、絞りが変更される旨を、撮影者が目視できる表示部に表示してもよい。
【００９１】
このフローで検出されたユーザの指のスライド量（図９では、「タッチ検出位置」と簡略化して記載）は、Ｓ１２２で保存できるようにして、あたかも、実際にレンズ周りのメカ操作リング部材が、回された状態で止まったような感覚で操作できるようにした。つまり、最初に１０°回され、タッチをやめて次に１０°回された場合、２０°分の操作がな
されたとして初期状態を基準にズーム操作やピント操作を行うようにしている。
【００９２】
もちろん、これを記録せず、最初に１０°回して離したら、もとのズーム位置、ピント
位置に戻すような制御であっても良い。もちろん、このいずれを採用するかをユーザが決められるようにしても良い。
【００９３】
次に、このように構成された実施の形態の動作について図１０のフローチャートを参照して説明する。図１０は本体側のカメラ制御を説明するためのフローチャートである。  
【００９４】
撮影機器１の電源が投入されると、信号処理及び制御部１１は、図１０のステップＳ２１において、撮影モードが指示されたか否かを判定する。撮影モードが指示されていない場合には、信号処理及び制御部１１は、ステップＳ２２において、再生モードが指示されたか否かを判定する。再生モードが指示されると、信号処理及び制御部１１は、ステップＳ２３において、サムネイルの一覧表示を行う。サムネイル一覧を参照したユーザによる画像の選択が行われると、ステップＳ２４からステップＳ２５に処理を移行して、信号処理及び制御部１１は選択画像の再生を行う。再生が終了すると（ステップＳ２６）、ファイル一覧表示を繰り返す。ファイル選択が行われない場合には、ステップＳ２７において再生モードの終了を判定する。
【００９５】
一方、撮影モードが指示されると、信号処理及び制御部１１は、ステップＳ３１において、撮像部１２からの画像信号に基づいて、表示部１８に撮像画像（スルー画）をライブビュー表示させる。なお、この場合には、信号処理及び制御部１１の光学系制御部１１ｄは、絞りを開放状態にするように制御を行う。次のステップＳ３２において、信号処理及び制御部１１は、交換レンズ２０の制御部２３との間でカメラ通信を行い、レンズ情報、制御情報及び操作情報を取得する。
【００９６】
次に、信号処理及び制御部１１は、ステップＳ３３において、絞り込みプレビュー操作があったか否かを判定する。ユーザが図８（Ｇ）に示すように、鏡筒２２の上下端をタッチする操作を行った場合には、タッチ判定部２３ｃから絞り込みプレビュー操作が行われたことを示す判定結果が信号処理及び制御部１１に与えられ、信号処理及び制御部１１は、撮像画像のゲインアップを行う（ステップＳ３４）。これにより、絞りの設定値に従って絞り込みが行われた場合でも、十分な明るさの撮像画像を表示部３５に表示することができる。
【００９７】
次に、信号処理及び制御部１１は、ステップＳ３５において、電子ズーム操作があったか否かを判定する。ユーザが本体部１０の図示しない操作部によって電子ズーム操作を行った場合、或いは、制御部２３からズーム端信号が発生している状態で、ユーザが図８（Ａ），（Ｂ）に示すように、指の間隔を維持したまた周方向にタッチ位置を回転させる操作を行って、タッチ判定部２３ｃからズーム操作が行われたことを示す判定結果が信号処理及び制御部１１に与えられた場合には、信号処理及び制御部１１は、撮像画像の電子ズームを行う（ステップＳ３６）。こうして、ユーザは、鏡筒２２のタッチパッド２２ａにタッチしている指を回転させる動作によって、光学ズーム及び電子ズーム操作を行うことができる。
【００９８】
信号処理及び制御部１１は、ステップＳ３７において、レンズパラメータに変化があったか否かを判定する。レンズパラメータに変化があった場合には、表示制御部１１ａは、レンズパラメータに変化があったことを示す表示を表示する（ステップＳ３８）。例えば、表示制御部１１ａは、図７（Ｂ）に示すように、絞りの変更操作があった場合には、変更された設定値（Ｆ値）を表示画面３５ａ上に表示させる。
【００９９】
次に、ステップＳ３９において、撮影操作が行われたか否かが判定される。例えばレリーズボタン操作等によって静止画撮影が指示されると、信号処理及び制御部１１は、ステップＳ４０において撮影を行う。即ち、信号処理及び制御部１１は、撮像部１２からの撮像画像に信号処理を施して圧縮した後、記録部１６に与えて記録を開始する。また、信号処理及び制御部１１は、ステップＳ４１において、動画撮影操作が行われたか否かを判定する。動画撮影操作が行われると、信号処理及び制御部１１は、動画撮影を開始する（ステップＳ４２）。動画撮影の終了操作が行われると、信号処理及び制御部１１は、ステップＳ４４において、動画撮影を終了すると共に、記録部１６の記録画像をファイル化する。
【０１００】
このように本実施の形態においては、鏡筒に配設したタッチパッドに対する簡単で且つ直感的で違和感のない操作によって、フォーカシング、ズーミング、絞り調整等が可能である。
【０１０１】
また、上記説明は、タッチ判定部の判定方法の一例を示したものであり、タッチ判定の方法として種々の方法を採用することができることは明らかである。例えば、上記説明では、最初にタッチする位置については制限を設けていないが、最初にタッチする位置に応
じてタッチ判定部の判定方法を変更してもよい。
【０１０２】
例えば、図２のレンズ群は、前方側（物体側）にピント制御用のレンズ群Ｇ２が配置され、後方側（像面側）にズーム制御用のレンズ群Ｇ３，Ｇ４が配置されている。従って、タッチパッドの比較的前方側で最初にタッチした場合には、ピント制御操作であるものと
判定し、比較的後方側で最初にタッチした場合には、ズーム制御操作であるものと判定し
てもよい。
【０１０３】
この発明は、特にレンズ部の突出が少ないカメラにも有効に適用できる。図１１は、このように突出部の少ない交換レンズの例を示すために、いわゆるパンケーキ型のものを図示した。このように薄型を優先した設計の交換レンズを、カメラ装着時の基準で、垂直に切った形で示した、Ｘ方向断面図として図示したものである。
【０１０４】
ここでは、図２の光学系とは異なり、１群２１１が負レンズ、２群２１２が正レンズで連携して変倍系を構成し、３群２１３は負レンズでピント合わせ系のレンズであり、４群２１４は固定のフィールドレンズ（射出瞳を像面から遠ざける働き）で構成している。  
【０１０５】
１群レンズ２１１は１群用枠に固定され、２群２１２と共に、ズーム用モータ２０６で可動制御される。モータ２０６が回転するとズームユニット２０４のメカ機構を介して、カム枠２０２が回転し、カムによってこれらが固定枠２０１に対し、光軸方向に連携して移動され、適切な群間隔でズーム制御、画角制御が行われる。
【０１０６】
３群レンズ２１３は、３群用枠２０８で保持され、モータ２０７で送りネジを回転して、ピント合わせの動きを行う。
【０１０７】
２０３はマウント部で、固定枠２０１とカメラ本体との接続機能を有する部位である。２２１はレンズ鏡枠の外装部材である。マウント部２０３と固定枠２０１の間には、ここでは特に説明していないが電気回路用のスペースを設ける。
【０１０８】
この外装部材に一部をカバーされる形で、タッチパネル（タッチパッド）２０５が設けられている。このように、レンズ鏡枠の径に対し、レンズの厚みが極めて薄く、指で保持するスペースが少ない場合でも、タッチパネルのタッチ位置やスライド方向判定の判定機能を利用して、適切な操作が可能となる。このタッチパネル（タッチパッド）のスペースに、リング操作部材を設けると、メカ機構も大型化する上に、ピント用、ズーム用に別機能の操作部材を並べるのは困難であり、並べたとしても指で触れる部位が少なくなり、保持の安定性も操作性が劣悪なものとなる。
【０１０９】
図１２は、図１１で説明した交換レンズの固定枠２０１とタッチパネル（タッチパッド）２０５の関係を図示した上面図であって、帯状のタッチパネルセンサ部２０５ａを、枠２０１の周りに巻き付けて接着されている。２０２ｃは、巻き付けた時に帯状部が一周せずに出来る隙間であり、２０２ｂはセンサ部２０５の信号、またはセンサ部の信号を判定した結果を交換レンズ外に導く、フレキシブル基板（フレキ）であり、センサ部と熱圧着などで電気的、メカ的に接続されている。
【０１１０】
センサ部２０５ａは、タッチポイントを判定するが、その信号を処理して座標やスライド方向、スライド量を出力する処理回路（ＩＣ）は、固定枠にくぼみを設けて、そこに収納しても良い。その場合、処理結果のデジタル信号をフレキで通信すればよく、ノイズに強く、誤動作がなくなる。ここでのタッチパッドは円環状に設けられたが、レンズ部に接するカメラ本体前面（図１４（Ａ）参照）や、レンズ前面に円弧状に設けてもよい（図１４（Ｂ）参照）。円環状も円弧状も総称して、ここでは円弧状という表現をした。
【０１１１】
図１３は、図１２の交換レンズのマウント部２０３を外した状態の背面図であって、ピント合わせユニットに続く３群枠用の部品２０８ｂや４群のレンズ２１４が見えている。また、固定枠２０１から、図１１で説明したタッチパネル用のフレキ２０２ｂや、ズームモータ２０６を動かす電気信号や、その位置を判定するための信号なども通すフレキシブル基板２０６ｂや、ピント合わせ用モータ２０７を動かす電気信号や、その位置制御結果をモニタする信号のためのフレキシブル基板２０７ｂが出ていて、これらを使って各可動部を制御する図１の制御部２３などからなる制御回路（図示せず）との電気通信を可能としている。
【０１１２】
このように、タッチパネル２０５を交換レンズ（交換可能でなくともよい）の周囲に組み込むことは極めて容易であり、各種アクチュエータ（モータ）や位置判定センサなどをコントロールするための電気回路と共通の回路基板に信号を集めて信号処理することができる。
【０１１３】
このような位置に配置したパッチパネル（タッチパッド）は、一般的な、液晶や有機ＥＬなどに表示を行い、それに対してタッチをするものとは、操作が異なり、ブラインドタッチが重要であり、そのようなタッチパッド操作については、本発明のような、被写体に設けられた撮影用レンズ部の周囲に設けられた円弧状タッチパッドと、上記タッチパッドの水平方向、または鉛直方向のタッチを判定するタッチ点判定部と、上記円弧に沿ったスライドを判定するスライド判定部と、上記タッチ点判定結果に従って、上記スライドに従って調節する撮影時のパラメータを切り替える切換部と、を具備したことを特徴する光学系操作装置の工夫は、迅速かつ安定した操作に大きな効果を発揮する。
【０１１４】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【０１１５】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【０１１６】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【０１１７】
また、ここで説明したフローチャートなどで表される制御方法は、ダウンロードされたものであってもよく、撮影レンズ部に円弧状のタッチパッドがあれば、そうして得られたプログラムで、同様の効果を奏するのは言うまでもない。
【符号の説明】
【０１１８】
１…撮影機器、１０…本体部、１１…信号処理及び制御部、１１ａ…表示制御部、１１ｂ…レンズ状態取得部、１１ｃ…操作情報取得部、１１ｄ…光学系制御部、１２…撮像部、２０…交換レンズ、２１…光路部、２２…鏡筒、２２ａ…タッチパッド、２３…制御部、２３ａ…駆動制御部、２３ｂ…リセット部、２３ｃ…タッチ判定部、２７…タッチ検出部、３５…表示部。
【図１】
2014153584.tif 000003
【図２】
2014153584.tif 000004
【図３】
2014153584.tif 000005
【図４】
2014153584.tif 000006
【図５】
2014153584.tif 000007
【図６】
2014153584.tif 000008
【図７−１】
2014153584.tif 000009
【図７−２】
2014153584.tif 000010
【図８−１】
2014153584.tif 000011
【図８−２】
2014153584.tif 000012
【図９】
2014153584.tif 000013
【図１０】
2014153584.tif 000014
【図１１】
2014153584.tif 000015
【図１２】
2014153584.tif 000016
【図１３】
2014153584.tif 000017
【図１４】
2014153584.tif 000018